(57)【要約】【課題】  移動する時や保管している時の誤動作を防止し、保管中でも表示手段を有効に使用することができる印刷装置を提供する。【解決手段】  印刷装置１において、印刷装置１の筺体２は、その底面８が支える面６４に配置されて印刷装置１を使用可能な横置きと、底面８が背面側となるように縦置きとをとり得るように構成され、筺体２の各配置位置の少なくともいずれか一方を検出する検知スイッチ３３を備え、検知スイッチ３３により検出された筺体２の各配置位置において表示内容が正立して読めるようにディスプレイ５の表示の向きを制御する制御装置４６を備えている。【選択図】  図１０
2007326223.tif 000002
【特許請求の範囲】
【請求項１】
文字、記号のデータを入力できる入力手段と、
印刷を開始するための印刷キーと、
入力手段から入力されたデータを印刷媒体に印刷する印刷手段と、
情報を表示する表示手段とを備えた印刷装置であって、
前記印刷装置の筺体は、その一側面部が設置面に配置されて印刷装置を使用可能な第1配置位置と
前記一側面部が背面側となるように起立配置される第2配置位置とをとり得るように構成され、
前記筺体の各配置位置の少なくともいずれか一方を検出するセンサ手段を備え、
前記センサ手段により検出された筺体の各配置位置において表示内容が正立して読めるように前記表示手段の表示の向きを制御する制御手段を備えたことを特徴とする印刷装置。
【請求項２】
前記印刷装置の電源がＯＦＦの時に前記表示手段にあらかじめ設定された任意の表示を行うことを特徴とする請求項１に記載の印刷装置。
【請求項３】
前記印刷装置の電源がＯＦＦの時に表示する内容が、現在の時刻であることを特徴とする請求項２に記載の印刷装置。
【請求項４】
前記印刷装置の電源がＯＦＦの時に表示する内容が、カレンダであることを特徴とする請求項２に記載の印刷装置。
【請求項５】
前記印刷装置の電源がＯＦＦの時に表示する内容が、スケジュール表であることを特徴とする請求項２に記載の印刷装置。
【請求項６】
前記印刷装置の前記センサ手段により前記筺体の配置位置が第1配置位置から第２配置位置へ変更されたことを検出すると、印刷装置の電源をＯＦＦにする電源制御手段を備えたことを特徴とする請求項２乃至請求項５のいずれかに記載の印刷装置。
【請求項７】
前記センサ手段により前記筺体の配置位置が第1配置位置から第２配置位置へ変更されたことを検出すると、前記入力手段からの入力を禁止する入力禁止手段を備えたことを特徴とする請求項１乃至請求項６のいずれかに記載の印刷装置。
【請求項８】
前記印刷装置の前記印刷キーを押下すると、前記電源がＯＦＦの時に前記表示手段に表示されている内容を前記印刷媒体へ印刷することを特徴とする請求項２乃至請求項７のいずれかに記載の印刷装置。
【発明の詳細な説明】
【技術分野】
【０００１】
本発明は、印刷装置の配置状態によって、印刷装置の動作を制御する機能を持つ印刷装置に関し、特に印刷装置の配置状態を検出するセンサ手段を設けた印刷装置に関するものである。
【背景技術】
【０００２】
従来、本願出願人は、実開平１−８５０５０号公報に記載のように、入力手段としてのキーボード、ディスプレイ、サーマルヘッドを有する印字機構を備え、印刷媒体（例えば、印刷媒体幅９ｍｍ、１２ｍｍ、２４ｍｍ）にインクリボンを介して文字や記号のキャラクタを印字できる印刷装置であって、対象物に貼付けしてその内容を明確にするに好適の印刷装置を提案するとともに、実用化した。
【０００３】
ところで、前記の印刷装置は、オフィスで使用する場合、印刷装置を決められた場所に置き、皆が持ち回りで使用する機会が多い。また、個人使用でも、必要な時に直ぐ使用するために身近に保管しておきたいものである。どちらも使用しない時は、場所を取って邪魔になる。その為、使用しない時は、スペースを取らないように立てて保管できる印刷装置が提案されている。
【０００４】
【特許文献１】実開平１−８５０５０号公報
【発明の開示】
【発明が解決しようとする課題】
【０００５】
しかしながら、印刷装置は、片手で持ち運びできる範囲の重量で設計されているので、オフィスや家庭で印刷装置を保管場所から移動して、印刷媒体に印刷する作業をしてから印刷装置を元の位置に戻す時、入力手段であるキーボード部の電源キーの部分を誤って握り、電源が入ったままになって無駄に電力を消費するという問題や、電源を切り忘れたままで入力手段であるキーボード部を握り誤動作させるという問題がある。
【０００６】
また、印刷装置として使用しない時にはスペースがある時はそのままで、また、スペースの無い時にはスペースを取らないように立てて保管するのであるが、保管中でも誤動作を防止し、保管している時でも印刷装置の持つ表示手段を使用して、印刷装置を横置きの時、また、縦置きの時でも余分な手間隙を掛けずに表示手段の表示内容を有効な表示内容に変更して、印刷装置を有効に使用したいという要請がある。
【０００７】
以上のような状況に鑑み、本発明の目的は、印刷装置を移動する時や保管している時の誤動作を防止し、保管中でも表示手段を有効に使用することができる印刷装置を提供することを目的とする。
【課題を解決するための手段】
【０００８】
前記目的を達成するために請求項１に係る印刷装置は、文字、記号のデータを入力できる入力手段と、印刷を開始するための印刷キーと、入力手段から入力されたデータを印刷媒体に印刷する印刷手段と、情報を表示する表示手段とを備えた印刷装置であって、前記印刷装置の筺体は、その一側面部が設置面に配置されて印刷装置を使用可能な第1配置位置と、前記一側面部が背面側となるように起立配置される第2配置位置とをとり得るように構成され、前記筺体の各配置位置の少なくともいずれか一方を検出するセンサ手段を備え、前記センサ手段により検出された筺体の各配置位置において表示内容が正立して読めるように前記表示手段の表示の向きを制御する制御手段を備えたことを特徴とする。
【０００９】
次に、請求項２に係る印刷装置は、請求項１に記載の印刷装置において、前記印刷装置の電源がＯＦＦの時に前記表示手段にあらかじめ設定された任意の表示を行うことを特徴とする。
【００１０】
次に、請求項３に係る印刷装置は、請求項２に記載の印刷装置において、前記印刷装置の電源がＯＦＦの時に表示する内容が、現在の時刻であることを特徴とする。
【００１１】
次に、請求項４に係る印刷装置は、請求項２に記載の印刷装置において、前記印刷装置の電源がＯＦＦの時に表示する内容が、カレンダであることを特徴とする。
【００１２】
次に、請求項５に係る印刷装置は、請求項２に記載の印刷装置において、前記印刷装置の電源がＯＦＦの時に表示する内容が、スケジュール表であることを特徴とする。
【００１３】
次に、請求項６に係る印刷装置は、請求項２乃至請求項５のいずれかに記載の印刷装置において、前記印刷装置の前記センサ手段により前記筺体の配置位置が第1配置位置から第２配置位置へ変更されたことを検出すると、印刷装置の電源をＯＦＦにする電源制御手段を備えたことを特徴とする。
【００１４】
次に、請求項７に係る印刷装置は、請求項１乃至請求項６のいずれかに記載の印刷装置において、前記センサ手段により前記筺体の配置位置が第1配置位置から第２配置位置へ変更されたことを検出すると、前記入力手段からの入力を禁止する入力禁止手段を備えたことを特徴とする。
【００１５】
そして、請求項８に係る印刷装置は、請求項２乃至請求項７のいずれかに記載の印刷装置において、前記印刷装置の前記印刷キーを押下すると、前記電源がＯＦＦの時に前記表示手段に表示されている内容を前記印刷媒体へ印刷することを特徴とする。
【発明の効果】
【００１６】
請求項１に係る印刷装置では、印刷装置の筺体は、その一側面部が設置面に配置されて印刷装置を使用可能な第1配置位置と、一側面部が背面側となるように起立配置される第2配置位置とをとり得るように構成され、筺体の各配置位置の少なくともいずれか一方を検出するセンサ手段を備え、センサ手段により検出された筺体の各配置位置において表示内容が正立して読めるように表示手段の表示の向きを制御する制御手段を備えたので、印刷装置が印刷装置として使用可能な第1配置位置であっても、また、起立配置される第2配置位置であっても制御手段が自動的に表示手段の表示を正立にするので表示が読み易いという効果があり、更に、表示を正立にする為の余分な操作をする必要が無いという効果がある。
【００１７】
また、請求項２に係る印刷装置では、印刷装置の電源がＯＦＦの時に表示手段にあらかじめ設定された任意の表示を行うようにしたので、印刷装置を印刷装置として使用しない時でも表示手段をあらかじめ設定された任意の表示の表示装置として利用できるという効果がある。
【００１８】
次に、請求項３に係る印刷装置では、印刷装置の電源がＯＦＦの時に表示する内容を、現在の時刻に設定することにより、印刷装置を印刷装置として使用しない時、時計として利用できるという効果がある。
【００１９】
また、請求項４に係る印刷装置では、印刷装置の電源がＯＦＦの時に表示する内容を、カレンダに設定することにより、印刷装置を印刷装置として使用しない時、カレンダとして利用できるという効果がある。
【００２０】
次に、請求項５に係る印刷装置では、印刷装置の電源がＯＦＦの時に表示する内容を、スケジュール表に設定することにより、印刷装置を印刷装置として使用しない時、スケジュール表として利用できるという効果がある。
【００２１】
また、請求項６に係る印刷装置では、印刷装置のセンサ手段により筺体の配置位置が第1配置位置から第２配置位置へ変更されたことを検出すると、印刷装置の電源をＯＦＦにする電源制御手段を備えたので、電源制御手段により自動的に電源がＯＦＦされ、持ち運び時の誤動作防止、電源の切り忘れによる無駄な電力消費を確実に無くすという効果がある。
【００２２】
次に、請求項７に係る印刷装置では、センサ手段により筺体の配置位置が第1配置位置から第２配置位置へ変更されたことを検出すると、入力手段からの入力を禁止する入力禁止手段を備えたので、入力禁止手段により自動的に入力手段からの入力が禁止され、持ち運び時及び保管時の入力手段からの入力が原因で発生する誤動作を防止できるという効果がある。
【００２３】
そして、請求項８に係る印刷装置では、印刷装置の印刷キーを押下すると、電源がＯＦＦの時に表示手段に表示されている内容を印刷媒体へ印刷するようにしたので、あらかじめ設定された任意の表示を表示するだけでなく簡単に印刷できるという効果がある。
【発明を実施するための最良の形態】
【００２４】
以下、本発明に係る印刷装置について、本発明を具体化した第１実施形態に基づき図面を参照しつつ詳細に説明する。先ず、本実施形態に係る印刷装置の概略構成について図１乃至図４に基づき説明する。図１は、印刷装置の斜視図、図２は、印刷装置の後部を下にして縦置きにした時の裏面図、図３は、印刷媒体カセットを装着したサーマル印刷機構の概略平面図、図４は、印刷装置の制御系のブロック図である。
【００２５】
図１において、印刷装置１の筺体２の前部にはキーボード（入力手段に相当する）３が配設され、キーボード３の後方で筺体２内にはサーマル印刷機構（印刷手段に相当する）４が配設され、またキーボード３の直ぐ後側には、入力した文字や記号を表示可能なディスプレイ（表示手段に相当する）５が設けられている。
【００２６】
キーボード３には、アルファベット文字や数字や記号を入力する為の文字キー、スペースキー、改行キー、カーソル移動キー、複数の定型表示の中から一つを選択するための定型表示選択キー７、実行キーや取消キー等の編集キー、印字を指令する印刷キー９、電源をＯＮ／ＯＦＦする為の電源キー３４等が設けられている。
【００２７】
そして、図２において、印刷装置１の筺体２の底面（一側面部に相当する）８には、筺体２の底面８を支える面（設置面に相当する）６４を感知する検知スイッチ（センサ手段に相当する）３３が設けられ、印刷装置１が置かれている状況、例えば、横置き（第１配置位置に相当する）で使用中か、搬送中か、立てられて縦置き（第２配置位置に相当する）になっているかを判断するトリガのスイッチになっている。
【００２８】
次に、サーマル印刷機構４について、図３に基づいて簡単に説明する。このサーマル印刷機構４には、着脱自在に矩形状の印刷媒体カセット１０が装着されており、この印刷媒体カセット１０には、印刷媒体であるラミネートテープ１１が巻装された印刷媒体スプール１２とインクリボン１３が巻装されたリボンスプール１４と、このインクリボン１３を巻取るリボン巻取りスプール１５と、ラミネートテープ１１と同一幅を有する両面テープ１６が剥離紙を外側にして巻装された供給スプール１７と、ラミネートテープ１１と両面テープ１６とを押圧して接合させる接合ローラ１８とが回転自在に設けられている。
【００２９】
前記ラミネートテープ１１とインクリボン１３とが重なる位置には、サーマルヘッド１９が立設され、これらラミネートテープ１１とインクリボン１３とをサーマルヘッド１９に押圧するプラテンローラ２０と、ラミネートテープ１１と両面テープ１６とを接合ローラ１８に押圧して印刷された印刷媒体２３を作成しながら印刷媒体を送る送りローラ２１とは、筺体２に回動自在に枢着されたローラ支持体２２に回転可能に枢支されている。このサーマルヘッド１９には、複数の発熱素子がラミネートテープの送り方向に垂直に列設されている。
【００３０】
従って、印刷媒体送りモータ３６（図４参照）の所定回転方向への駆動により、接合ローラ１８とリボン巻取りスプール１５とが所定回転方向に各々同期して駆動されながら、サーマルヘッド１９の複数の発熱素子に通電された時、ラミネートテープ１１の裏面側には、複数のドット列により文字や記号が鏡像で印刷され、しかもラミネートテープ１１の裏面側に両面テープ１６が接合されて印刷された印刷媒体２３が作成され、印刷された印刷媒体２３が排出方向Ｔの方向に搬送されて、図１、図３に示すように、筺体２の外側に排出される。
【００３１】
なお、この印刷媒体カセット１０は、その印刷媒体の幅や印刷媒体の種類によって複数の印刷媒体カセット１０が用意されている。この印刷媒体カセット１０の底壁部には、複数の印刷媒体種検出用穴２４が形成され、この印刷媒体種検出用穴２４の組合せによって印刷媒体の幅や印刷媒体の種類が決まり、この情報が筺体２に取り付けられている印刷媒体センサ３０（図４参照）で読み取られる。
【００３２】
次に、印刷装置１の制御系について、図４に基づいて説明する。制御装置（制御手段に相当する）４６の入出力インターフェース４４には、キーボード３と、カセットセンサ３０と、ディスプレイ５に表示データを出力する為のビデオＲＡＭ３１を有するディスプレイコントローラ３２と、検知スイッチ３３と、サーマルヘッド１９を駆動する為の駆動回路３５と、印刷媒体送りモータ３６を駆動する為の駆動回路３７とが、各々接続されている。
【００３３】
制御装置４６は、ＣＰＵ４０と、このＣＰＵ４０にデータバスなどのバス４５を介して接続された入出力インターフェース４４、表示用キャラクタジェネレータＲＯＭ（表示用ＣＧＲＯＭ）４１、印刷用キャラクタジェネレータＲＯＭ（印刷用ＣＧＲＯＭ）４２，ＲＯＭ４３、ＲＡＭ５０、及び時計・カレンダ回路５７とから構成されている。表示用ＣＧＲＯＭ４１には、アルファベット文字や記号などの多数のキャラクタの各々に関して、所定文字サイズの表示用ドットパターンデータが格納されている。印刷用ＣＧＲＯＭ４２には、アルファベット文字や記号などの多数のキャラクタの各々に関して、印刷用ドットパターンデータが、各書体ごとにコードデータに対応させて、複数の印字文字サイズ分が格納されている。時計・カレンダ回路５７は、現在の日時・時刻のデータを保持している。
【００３４】
ＲＯＭ４３には、キーボード３から入力された文字や数字や記号等のキャラクタのコードデータに対応させてディスプレイコントローラ３２を制御する表示駆動制御プログラム、印字に供する１ドット列毎のドットパターンデータを順次サーマルヘッド１９や印刷媒体送りモータ３６に転送して印刷する印刷駆動プログラム、本願特有のあらかじめ設定された任意の表示（以後、定型表示という）を行うためのテキスト入力制御、定型表示作成制御、定型表示選択制御、定型表示データ入力制御、テキスト登録制御等の制御プログラム、更に、検知スイッチ３３の信号を検出することにより、印刷装置１の電源をＯＮ／ＯＦＦする電源制御プログラム（電源制御手段に相当する）及びキーボード３からの入力を禁止又は解除する入力制御プログラム（入力禁止手段に相当する）が格納されている。
【００３５】
前記ＲＡＭ５０には、テキスト入力制御により、キーボード３から入力されたキャラクタのコードデータや、定型表示データ入力制御により、入力指示メッセージに付随的にキーボード３から入力されたテキストデータを格納するテキストメモリ５１、選択された定型表示に関する全体書式情報を格納する全体書式情報メモリ５２、定型表示インデックステーブルに格納された定型表示を順次指示する定型表示ポインタのポインタ値と、入力指示メッセージテーブルに格納された入力指示メッセージを順次指示する入力支持項目ポインタのポインタ値を格納するポインタメモリ５３、サーマル印刷機構４に装着されている印刷媒体カセット１０のラミネートテープ１１のテープ幅データを格納するテープ情報メモリ５４、ユーザーが登録された登録ファイルを格納する登録ファイルメモリ５５に加えて、そのテキストメモリ５１に格納されたキャラクタコードに対応するドットパターンデータを展開して格納する印字データバッファ５６、その他ＣＰＵ４０で演算した演算結果を一時的に格納するメモリやバッファ等が設けられている。
【００３６】
続いて、前記のように構成された印刷装置１において、印刷装置１の基本的な動作の流れを決める検知スイッチ３３について、図２、図5に基づいて説明する。図５は、検知スイッチの状態を説明する図であり、（Ａ）は、印刷装置が横置きで机の上に置かれているので、筺体を支える面により、検知スイッチがＯＮの状態を示す図、（Ｂ）は、印刷装置が筺体を支える面から離れており、検知スイッチがＯＦＦの状態を示す図、（Ｃ）は、印刷装置が机の上に後部を下にして縦置きで置かれているので、検知スイッチがＯＦＦの状態を示す図である。
【００３７】
検知スイッチ３３は、その突起３３ａ（検出部に相当する）が押下された時にＯＮ、押下を解除した時にＯＦＦとなるプッシュスイッチ（モーメンタリスイッチ）である。プッシュスイッチの既製品では、アルプス電気製のＳＰＰＢシリーズ、ＳＰＶＥシリーズ、ＳＰＰＷ８シリーズ等があり簡単に設置できる。また、スイッチストロークの関係があるので、印刷装置１に合ったスイッチを独自に設計しても良い。検知スイッチ３３は、図２、図5に示すように、印刷装置１の筺体２の底面８から突起３３ａが飛び出すように取り付けられている。図５（Ａ）の状態では、印刷装置１が横置きで机の上に置かれているので、筺体２を支える面６４により、検知スイッチ３３の突起３３ａが押下されて、検知スイッチ３３は、ＯＮになっている。印刷装置１が、使用されているか、横置きで机の上に保管されている状態である。図５（Ｂ）の状態では、印刷装置１が筺体２を支える面６４から離れており、検知スイッチ３３の突起３３ａが飛び出しているので、検知スイッチ３３は、ＯＦＦになっている。この状態は、印刷装置１が持ち上げられた状態である。図５（Ｃ）の状態では、印刷装置１が机の上に後部６３を下にして縦置きで置かれており、検知スイッチ３３の突起３３ａが飛び出しているので、検知スイッチ３３は、ＯＦＦになっている。この状態は、印刷装置１が後部６３を下にして縦置きで保管されている状態である。
【００３８】
ここで、電源をＯＮしてから、検知スイッチ３３が関与する印刷装置１の動作設定の流れを図５、図６に基づいて説明する。図６は、第１実施形態における印刷装置の動作設定の流れを説明するフローチャートである。この動作設定の流れによれば、印刷装置１には、大きく分けて、サーマル印刷機構４の動作処理、縦置きの定型表示の動作処理、電源をＯＦＦする動作処理の流れがある。
【００３９】
まず、印刷装置１のサーマル印刷機構４の動作処理の流れから説明する。この時、印刷装置１は、図５（Ａ）に示すように横置きで机の上に置かれているので、筺体２を支える面６４により、検知スイッチ３３の突起３３ａが押下されて、検知スイッチ３３は、ＯＮになっている。この状態で、ステップ（以下、Sと略記する）１で制御装置４６が電源ＯＮを確認し、Ｓ２で検知スイッチ３３がＯＮであることを制御装置４６が確認するとＳ３に進み、サーマル印刷機構４の動作処理になって、キーボード３、印刷媒体センサ３０、ディスプレイ５、サーマル印刷機構４、制御装置４６のそれぞれの機能を使用して所望する印刷媒体２３が印刷される。そして、サーマル印刷機構４の動作処理の流れの中で、Ｓ４で規定時間内にキーボード３からの入力があることを制御装置４６が確認した場合にはこの流れを繰り返すが、規定時間内にキーボード３からの入力が無いことを制御装置４６が確認した場合は、Ｓ７に進み電源ＯＦＦの処理が制御装置４６によってなされる。（オートパワーオフ処理）この処理によって、電源の切り忘れや無駄な電力消費を防止している。
【００４０】
次に、印刷装置１の縦置きの定型表示の動作処理を行う流れを説明する。この時、印刷装置１は、図５（Ｃ）に示すように後部６３を下にして縦置きで机の上に置かれており、検知スイッチ３３の突起３３ａが飛び出しているので、検知スイッチ３３は、ＯＦＦになっている。この状態で、Ｓ１で制御装置４６が電源ＯＮを確認し、Ｓ２で検知スイッチ３３がＯＦＦであることを制御装置４６が確認するとＳ５に進み、制御装置４６が縦置きの定型表示の動作処理を行う。そして、Ｓ６で制御装置４６が指定キー以外の入力禁止処理を行う。基本的に、定型表示選択キー７、印刷キー９、電源をＯＮ／ＯＦＦする為の電源キー３４、その他定型表示に関係するキー以外のキー入力が停止され、誤ってキーボードに触れて定型表示を乱すという誤動作が防止される。また、定型表示には、時計表示、カレンダ表示、スケジュール表示がある。（図７参照）この定型表示の状態は、印刷装置１を保管するのにスペースを取らないように後部６３を下にして縦置きで保管している状態に加えて、印刷装置１の持っている機能を利用して、印刷媒体２３の印刷以外にも利用したいという要求に対し、定型表示にして、スペースを取らないように立てて縦置きで利用するというものである。縦置きの時は、ディスプレイ５の表示は、サーマル印刷機構４の動作処理の時の表示に対して上下逆転している。（図８（Ｂ）参照）
【００４１】
そして、印刷装置１の電源をＯＦＦする動作処理の流れを説明する。電源をＯＦＦする動作処理に二つの流れがある。一方は、Ｓ１で電源がＯＦＦされたことを制御装置４６が確認するとＳ７に進み制御装置４６によって電源をＯＦＦする動作処理がなされる流れ、他方は、制御装置４６が行うＳ１からＳ２、Ｓ２からＳ３、Ｓ３からＳ４のサーマル印刷機構４の動作処理の流れの中で、Ｓ４で規定時間内にキーボード３からの入力が無いことを制御装置４６が確認した場合にＳ７に進み電源をＯＦＦする動作処理が制御装置４６によってなされる流れである。（オートパワーオフ処理）この処理によって、電源の切り忘れや無駄な電力消費が防止されている。
【００４２】
ここで、定型表示について、図７に基づいて説明する。図７は、定型表示を示す図であり、（Ａ）は、時計の定型表示例を示す図、（Ｂ）は、カレンダの定型表示例を示す図、（Ｃ）は、スケジュールの定型表示例を示す図である。ところで、定型表示は、印刷装置１の持っている機能を利用して、印刷媒体の印刷以外にも利用したいという要求に対して考案された機能である。制御装置４６には、図７（Ａ）、図７（Ｂ）に示す書式が固定された定型表示、図７（Ｃ）に示すある書式に後からデータを記入する定型表示、使用者が自由に表現する定型表示（図示せず）の３種類が収められており、それぞれの制御プログラムで取り出し（表示）、格納（書き込み）がなされている。どの定型表示を表示するかの選択は、定型表示選択キー７で行われる。図７（Ａ）、図７（Ｂ）の定型表示においては、時計・カレンダ回路５７から読み出した日付、時刻のデータに基づいて時計の定型表示（図７（Ａ））、カレンダの定型表示（図７（Ｂ））を行う。また、図７（Ｃ）に示すある書式に後からデータを記入する定型表示、使用者が自由に表現する定型表示の場合のデータ記入や自由表現の記入は、図６に示すＳ６の横置きの定型表示処理の中の定型表示編集制御の中で行われるようにしている。
【００４３】
次に、印刷装置１の横置きと縦置きについて、図８に基づいて説明する。図８は、第１実施形態における印刷装置の横置きと縦置きを示す図であり、（Ａ）は、印刷装置が横置きにされ、サーマル印刷機構が動作状態の図、（Ｂ）は、印刷装置が縦置きにされ、定型表示になっている状態の図である。図８（Ａ）における印刷装置１の横置きは、印刷媒体の印刷時にキーボード３からのキー入力操作を行う為には必要な置き方である。また、キー入力操作も、キーボード３の手前６６を低く、後部６３を高くして傾斜を付けた方が操作を行い易く、更に、ディスプレイ５も傾斜が付いていた方が見易い。その為、ディスプレイ５に表示される表示もキー入力操作中にそのまま見られる表示になっている。また、図（Ｂ）における印刷装置１の縦置きは、印刷装置１の置き場所にスペースがない場合の保管方法として考案されたものである。そして、定型表示は、印刷装置１の持っている機能を利用して、印刷媒体の印刷以外にも利用したいという要求に対して考案された機能であるので、印刷装置１の縦置きでも取り入れている。しかしながら、印刷装置１は、キーボード３の操作性、ディスプレイ５の視認性をよくする為に、手前６６を低く、後部６３を高くする設計の必要があり、その為に、印刷装置１が縦置きされる場合は、安定性を良くする為に、後部６３を下にして立てる必要がある。すると、ディスプレイ５に表示されている表示が上下逆になるので、これを補正する機能が必要となり、その為に、印刷装置１の検知スイッチ３３が印刷装置１が縦置きになった時にＯＦＦを検出し、その信号を制御装置４６に送ってディスプレイ５に表示されている表示が上下逆になるように処理をおこなう。この処理によって、印刷装置１が縦置きされた時でも使用者が手を加えること無くディスプレイ５に表示されている表示を正常に見ることができる。また、印刷装置１の手前６６を低く、後部６３を高くする設計により、印刷装置１の後部６３を下にして立てた場合でも、ディスプレイ５に適度の傾斜があってディスプレイ５の視認性が良くなるという効果もある。そして、印刷装置１の手前６６より後部６３の方が広いので、後部６３を下にして立てた時、安定して置けるという効果もある。
【００４４】
更に、本発明に係る印刷装置について、本発明を具体化した第２実施形態に基づき図面を参照しつつ詳細に説明する。第２実施形態では、横置きの定型表示の動作処理を加え、更に、電源をＯＦＦにしても定型表示の動作処理を行う印刷装置１について説明する。印刷装置１の構成については、第１実施形態で説明した構成に、定型表示にするかしないかの動作を選択する機能切替キー６が追加されたものと同じであるので、ここでは構成の説明は省略し、印刷装置１が持っている機能を動作設定の流れで説明する。また、使用する符号も同一の符号を使用する。
【００４５】
まず、電源をＯＮしてから、検知スイッチ３３が関与する印刷装置１の動作設定の流れを図５、図９に基づいて説明する。図９は、印刷装置の動作設定の流れを説明するフローチャートである。この動作設定の流れによれば、印刷装置１には、大きく分けて、サーマル印刷機構４の動作処理、横置きの定型表示の動作処理、縦置きの定型表示の動作処理、電源をＯＦＦする動作処理の流れがある。
【００４６】
最初に、印刷装置１のサーマル印刷機構４の動作処理の流れから説明する。この時、印刷装置１は、図５（Ａ）に示すように横置きで机の上に置かれているので、筺体２を支える面６４により、検知スイッチ３３の突起３３ａが押下されて、検知スイッチ３３は、ＯＮになっている。更に、機能切替キー６（図１参照）によって、印刷装置１の状態は、印刷機能側になっている。この状態で、ステップ（以下、Sと略記する）１０１で制御装置４６が電源ＯＮを確認し、Ｓ１０２で検知スイッチ３３がＯＮであることを制御装置４６確認するとＳ１０３に進み、ここで定型表示でないことが制御装置４６によって確認されてＳ０４に進み、印刷機能の動作処理になって、キーボード３、カセットセンサ３０、ディスプレイ５、サーマル印刷機構４、制御装置４６のそれぞれの機能を使用して所望する印刷媒体２３が印刷される。そして、サーマル印刷機構４の動作処理の流れの中で、Ｓ１０５で規定時間内にキーボード３からの入力があることを制御装置４６が確認した場合にはこの流れを繰り返すが、規定時間内にキーボード３からの入力が無いことを制御装置４６が確認した場合は、Ｓ１１１に進み電源ＯＦＦの処理が制御装置４６によってなされる。（オートパワーオフ処理）この処理によって、電源の切り忘れや無駄な電力消費を防止している。
【００４７】
次に、印刷装置１の横置きの定型表示の動作処理を行う流れを説明する。この時、印刷装置１は、図５（Ａ）に示すように横置きで机の上に置かれているので、筺体２を支える面６４により、検知スイッチ３３の突起３３ａが押下されて、検知スイッチ３３は、ＯＮになっている。更に、機能切替キー６（図１参照）によって、印刷装置１の状態は、定型表示機能側になっている。この状態で、Ｓ１０１で制御装置４６が電源ＯＮを確認し、Ｓ１０２で検知スイッチ３３がＯＮであることを制御装置４６が確認するとＳ１０３に進み、ここで定型表示であることが制御装置４６によって確認されるとＳ１０６に進み、制御装置４６によって横置きの定型表示の動作処理になり定型表示が表示される。その表示例を図１０（Ａ）に示す。図１０（Ａ）は、印刷装置が横置きにされ、定型表示になっている状態の図である。この時、ディスプレイ５に表示されている定型表示の向きは、サーマル印刷機構４が動作している時のディスプレイ５に表示されている表示と同じ向きをしている。その後、Ｓ１０７で指定キー以外の入力禁止処理を制御装置４６が入力制御プログラムによって行う。基本的に機能切替キー６、定型表示選択キー７、印刷キー９、電源をＯＮ／ＯＦＦする為の電源キー３４、その他定型表示に関係する以外のキーのキー入力が停止され、誤ってキーボードに触れて定型表示を乱すという誤動作が防止される。また、定型表示には、時計表示、カレンダ表示、スケジュール表示がある。（図７参照）この定型表示の状態は、印刷装置１の持っている機能を利用して、印刷媒体の印刷以外にも利用したいという要求に対し、定型表示にして利用するというものである。
【００４８】
次に、印刷装置１の縦置きの定型表示の動作処理を行う流れを説明する。この時、印刷装置１は、図５（Ｃ）に示すように後部６３を下にして縦置きで机の上に置かれており、検知スイッチ３３の突起３３ａが飛び出しているので、検知スイッチ３３は、ＯＦＦになっている。更に、機能切替キー６（図１参照）によって、印刷装置１の状態は、定型表示機能側になっている。この状態で、Ｓ１０１で制御装置４６が電源ＯＮを確認し、Ｓ１０２で制御装置４６が検知スイッチ３３がＯＦＦであることを確認するとＳ１０８に進み、ここで、定型表示であることが制御装置４６によって確認されるとＳ１０９に進み、制御装置４６によって縦置きの定型表示の動作処理になり定型表示が表示される。その表示例を図１０（Ｂ）に示す。図１０（Ｂ）は、印刷装置が縦置きにされ、定型表示になっている状態の図である。この時、ディスプレイ５に表示されている定型表示の向きは、印刷装置が横置きにされ、定型表示になっている状態のディスプレイ５に表示されている表示とは逆の向きをしている。これは、横置きでサーマル印刷機構４を動作させている時に、印刷装置１をキーボード３の操作性、ディスプレイ５の視認性をよくする為に、手前６６を低く、後部６３を高くする設計の必要があり、その為に、印刷装置１が縦置きされる場合は、安定性を良くする為に、後部６３を下にして立てる必要がある。すると、ディスプレイ５に表示されている表示が上下逆になるので、これを補正する機能が必要となり、その為に、印刷装置１の検知スイッチ３３が印刷装置１が縦置きになった時にＯＦＦを検出し、その信号を制御装置４６に送ってディスプレイ５に表示されている表示が上下逆になるように処理をおこなう。この処理によって、印刷装置１が縦置きされた時でも使用者が手を加えること無くディスプレイ５に表示されている表示を正常に見ることができるのである。その後、Ｓ１１０で指定キー以外の入力禁止処理を制御装置４６が入力制御プログラムによって行う。基本的に機能切替キー６、定型表示選択キー７、印刷キー９、電源をＯＮ／ＯＦＦする為の電源キー３４、その他定型表示に関係する以外のキーのキー入力が停止され、誤ってキーボードに触れて定型表示を乱すという誤動作が防止される。また、定型表示には、時計表示、カレンダ表示、スケジュール表示がある。（図７参照）この定型表示の状態は、印刷装置１を保管するのにスペースを取らないように後部６３を下にして縦置きで保管している状態に加えて、印刷装置１の持っている機能を利用して、印刷媒体２３の印刷以外にも利用したいという要求に対し、定型表示にして、スペースを取らないように縦置きにして利用するというものである。
【００４９】
そして、印刷装置１が持ち上げられたり（場所を移動するために）、後部６３を下にして縦置きで保管されたりする為に、自動的に電源をＯＦＦする動作処理の流れを説明する。この時、印刷装置１は、図５（Ｂ）に示すように印刷装置１が筺体２を支える面６４から離された場合や、図５（Ｃ）に示すように後部６３を下にして縦置きで机の上に置かれた場合は、検知スイッチ３３の突起３３ａが飛び出しているので、検知スイッチ３３は、ＯＦＦになっている。更に、機能切替キー６（図１参照）によって、印刷装置１の状態は、印刷機能側になっている。この状態で、Ｓ１０１で制御装置４６が電源ＯＮを確認し、Ｓ１０２で制御装置４６が検知スイッチ３３がＯＦＦであることを確認するとＳ１０８に進み、ここで、制御装置４６によって定型表示でないことが確認されるとＳ１１１に進み、電源ＯＦＦの処理が制御装置４６によって行われる。この処理によれば、電源ＯＦＦの操作をしなくても自動的に電源がＯＦＦになるので、印刷装置１を持って移動する時に、電源をＯＦＦにした場合でも、キーボード３の電源キー３４の部分を誤って握り、電源が入ったままになって無駄に電力を消費するという問題や、電源の切り忘れでオートパワーオフが働く前にキーボード３を握り誤動作させるという問題が解決できる。
【００５０】
続いて、電源をＯＦＦしてから、検知スイッチ３３が関与する印刷装置１の動作設定の流れを図５、図９に基づいて説明する。この動作設定の流れによれば、印刷装置１には、大きく分けて、電源をＯＦＦする処理の流れ、そして、これがこの印刷装置１の特徴の一つであるが、電源のＯＦＦ操作をしても横置きの定型表示の動作処理、縦置きの定型表示の動作処理をする流れがある。
【００５１】
まず、印刷装置１の電源がＯＦＦにされた時の電源をＯＦＦする動作処理の流れを説明する。一つの流れは、Ｓ１０１で制御装置４６が電源ＯＦＦを確認し、Ｓ１１２で制御装置４６が検知スイッチ３３がＯＮであることを確認するとＳ１１３に進み、ここで定型表示でないことが制御装置４６によって確認されるとＳ１１１に進み、電源をＯＦＦにする動作処理が制御装置４６によって行われる流れである。他の流れは、Ｓ１０１で制御装置４６が電源ＯＦＦを確認し、Ｓ１１２で制御装置４６が検知スイッチ３３がＯＦＦであることを確認するとＳ１１４に進み、ここで制御装置４６によって定型表示でないことが確認されるとＳ１１１に進み、電源ＯＦＦの処理が制御装置４６によって行われる流れである。この二つの流れで完全に電源がＯＦＦされる。
【００５２】
次に、印刷装置１の電源のＯＦＦ操作をしても横置きの定型表示の動作処理を行う流れを説明する。この時、印刷装置１は、図５（Ａ）に示すように横置きで机の上に置かれているので、筺体２を支える面６４により、検知スイッチ３３の突起３３ａが押下されて、検知スイッチ３３は、ＯＮになっている。更に、機能切替キー６（図１参照）によって、印刷装置１の状態は、定型表示機能側になっている。この状態で、Ｓ１０１で制御装置４６が電源ＯＦＦを確認し、Ｓ１１２で制御装置４６が検知スイッチ３３がＯＮであることを確認するとＳ１１３に進み、ここで制御装置４６によって定型表示であることが確認されるとＳ１０６に進み、制御装置４６によって横置きの定型表示の動作処理になり定型表示が表示される。その表示例を図１０（Ａ）に示す。図１０（Ａ）は、印刷装置が横置きにされ、定型表示になっている状態の図である。この時、ディスプレイ５に表示されている定型表示の向きは、サーマル印刷機構４が動作している時のディスプレイ５に表示されている表示と同じ向きをしている。その後、Ｓ１０７で指定キー以外の入力禁止処理を制御装置４６が入力制御プログラムによって行う。基本的に機能切替キー６、定型表示選択キー７、印刷キー９、電源をＯＮ／ＯＦＦする為の電源キー３４、その他定型表示に関係する以外のキーのキー入力が停止され、誤ってキーボードに触れて定型表示を乱すという誤動作が防止される。また、定型表示は、時計表示、カレンダ表示、スケジュール表示がある。（図７参照）この定型表示の状態は、電源のＯＦＦ操作をした後でも、印刷装置１の持っている機能を利用して、印刷媒体の印刷以外にも利用したいという要求に対する一つの手段である。
【００５３】
そして、印刷装置１の電源のＯＦＦ操作をしても縦置きの定型表示の動作処理を行う流れを説明する。この時、印刷装置１は、図５（Ｃ）に示すように後部６３を下にして縦置きで机の上に置かれており、検知スイッチ３３の突起３３ａが飛び出しているので、検知スイッチ３３は、ＯＦＦになっている。更に、機能切替キー６（図１参照）によって、印刷装置１の状態は、定型表示機能側になっている。この状態で、Ｓ１０１で制御装置４６が電源ＯＦＦを確認し、Ｓ１１２で制御装置４６が検知スイッチ３３がＯＦＦであることを確認するとＳ１１４に進み、ここで、制御装置４６によって定型表示であることが確認されるとＳ１０９に進み、制御装置４６によって縦置きの定型表示の動作処理になり定型表示が表示される。その表示例を図１０（Ｂ）に示す。図１０（Ｂ）は、印刷装置が縦置きにされ、定型表示になっている状態の図である。この時、ディスプレイ５に表示されている定型表示の向きは、印刷装置が横置きにされ、定型表示になっている状態のディスプレイ５に表示されている表示とは逆の向きをしている。これは、横置きでサーマル印刷機構４を動作させている時に、印刷装置１をキーボード３の操作性、ディスプレイ５の視認性をよくする為に、手前６６を低く、後部６３を高くする設計の必要があり、その為に、印刷装置１が縦置きされる場合は、安定性を良くする為に、後部６３を下にして立てる必要がある。すると、ディスプレイ５に表示されている表示が上下逆になるので、これを補正する機能が必要となり、その為に、印刷装置１の検知スイッチ３３が印刷装置１が縦置きになった時にＯＦＦを検出し、その信号を制御装置４６に送ってディスプレイ５に表示されている表示が上下逆になるように処理をおこなう。この処理によって、印刷装置１が縦置きされた時でも使用者が手を加えること無くディスプレイ５に表示されている表示を正常に見ることができるのである。その後、Ｓ１１０で指定キー以外の入力禁止処理を制御装置４６が入力制御プログラムによって行う。基本的に機能切替キー６、定型表示選択キー７、印刷キー９、電源をＯＮ／ＯＦＦする為の電源キー３４、その他定型表示に関係する以外のキーのキー入力が停止され、誤ってキーボードに触れて定型表示を乱すという誤動作が防止される。また、定型表示には、時計表示、カレンダ表示、スケジュール表示がある。（図７参照）この定型表示の状態は、印刷装置１を保管するのにスペースを取らないように後部６３を下にして縦置きで保管している状態に加えて、印刷装置１の持っている機能を利用して、印刷媒体２３の印刷以外にも利用したいという要求に対し、定型表示にして、スペースを取らないように縦置きにして利用するというものである。
【００５４】
さらに、本発明に係る印刷装置１について、本発明を具体化した第３実施形態に基づき図面を参照しつつ詳細に説明する。第３実施形態では、印刷装置１のディスプレイ５に定型表示されている内容を印刷媒体である印刷媒体２３に印刷して利用する方法を図１０に基づき説明する。符号は第１実施形態で使用した符号をそのまま使用する。図１０は、第２実施形態における印刷装置の横置きと縦置きを示す図であり、（Ａ）は、印刷装置が定型表示状態で横置きにされた図、（Ｂ）は、印刷装置が定型表示状態で縦置きにされた図である。ところで、印刷装置１は、定型表示になってから、基本的にキーボード３からの入力が禁止されて誤動作を防止している。しかしながら、定型表示になってからも、機能切替キー６、定型表示選択キー７、印刷キー９、電源をＯＮ／ＯＦＦする為の電源キー３４、その他定型表示に関係するキーは入力が許可されているのである。そこで、定型表示されている内容が必要な時は、印刷キー９を押下して印刷媒体２３に印刷して印刷媒体２３を排出方向Ｔに排出する。これは、図１０（Ａ）の印刷装置１が横置きにされている時でも、図１０（Ｂ）の印刷装置１が縦置きにされている時でも印刷できるようになっている。印刷媒体２３を必要とする例としては、スケジュールが定型表示されている時、スケジュールが一杯で席に戻れない時には、このスケジュールの印刷媒体２３を作成して手帳に貼って持っていけば、その後の行動に困らないという効果がある。また、定型表示の種類を変更する時は、使用者が定型表示選択キー７を操作することよって変更することができる。
【００５５】
以上説明した通り、第１実施形態から第３実施形態に係る印刷装置１では、印刷装置１の筺体２は、その底面８が支える面６４に配置されて印刷装置１を使用可能な横置きと、底面８が背面側となるように縦置きとをとり得るように構成され、筺体２の各配置位置の少なくともいずれか一方を検出する検知スイッチ３３を備え、検知スイッチ３３により検出された筺体２の各配置位置において表示内容が正立して読めるようにディスプレイ５の表示の向きを制御する制御装置４６を備えたので、印刷装置１が印刷装置１として使用可能な横置きであっても、また、縦置きであっても制御装置４６が自動的にディスプレイ５の表示を正立にするので表示が読み易いという効果があり、更に、表示を正立にする為の余分な操作をする必要が無いという効果がある。
【００５６】
また、印刷装置１では、印刷装置１の電源がＯＦＦの時にディスプレイ５に定型表示を行うようにしたので、印刷装置１を印刷装置１として使用しない時でもディスプレイ５を定型表示のディスプレイ５として利用できるという効果がある。
【００５７】
次に、印刷装置１では、印刷装置１の電源がＯＦＦの時に表示する内容が、現在の時刻に設定することにより、印刷装置１を印刷装置１として使用しない時、時計として利用できるという効果がある。
【００５８】
また、印刷装置１では、印刷装置１の電源がＯＦＦの時に表示する内容が、カレンダに設定することにより、印刷装置１を印刷装置１として使用しない時、カレンダとして利用できるという効果がある。
【００５９】
次に、印刷装置１では、印刷装置１の電源がＯＦＦの時に表示する内容が、スケジュール表に設定することにより、印刷装置１を印刷装置１として使用しない時、スケジュール表として利用できるという効果がある。
【００６０】
また、印刷装置１では、印刷装置１の検知スイッチ３３により筺体２の配置位置が横置きから縦置きへ変更されたことを検出すると、印刷装置１の電源をＯＦＦにする制御装置４６を備えたので、制御装置４６により自動的に電源がＯＦＦされ、持ち運び時の誤動作防止、電源の切り忘れによる無駄な電力消費を確実に無くすという効果がある。
【００６１】
次に、印刷装置１では、検知スイッチ３３により筺体２の配置位置が横置きから立てた縦位置へ変更されたことを検出すると、キーボード３からの入力を禁止する制御装置４６を備えたので、制御装置４６により自動的にキーボード３からの入力が禁止され、持ち運び時及び保管時のキーボード３からの入力が原因で発生する誤動作を防止できるという効果がある。
【００６２】
そして、印刷装置１では、印刷装置１の印刷キー９を押下すると、ディスプレイ５に表示されている内容を印刷媒体２３へ印刷するようにしたので、定型表示を表示するだけでなく簡単に印刷できるという効果がある。
【００６３】
尚、本発明は前記実施形態に限定されるものではなく、本発明の要旨を逸脱しない範囲内で種々の改良、変形が可能であることは勿論である。
【図面の簡単な説明】
【００６４】
【図１】印刷装置の斜視図である。
【図２】印刷装置の後部を下にして縦置きにした時の裏面図である。
【図３】印刷媒体カセットを装着したサーマル印刷機構の概略平面図である。
【図４】印刷装置の制御系のブロック図である。
【図５】検知スイッチの状態を説明する図であり、（Ａ）は、印刷装置が横置きで机の上に置かれているので、筺体を支える面により、検知スイッチがＯＮの状態を示す図、（Ｂ）は、印刷装置が筺体を支える面から離れており、検知スイッチがＯＦＦの状態を示す図、（Ｃ）は、印刷装置が机の上に後部を下にして縦置きで置かれているので、検知スイッチがＯＦＦの状態を示す図である。
【図６】第１実施形態における印刷装置の動作設定の流れを説明するフローチャートである。
【図７】定型表示を示す図であり、（Ａ）は、時計の定型表示例を示す図、（Ｂ）は、カレンダの定型表示例を示す図、（Ｃ）は、スケジュールの定型表示例を示す図である。
【図８】第１実施形態における印刷装置の横置きと縦置きを示す図であり、（Ａ）は、印刷装置が横置きにされ、サーマル印刷機構が動作状態の図、（Ｂ）は、印刷装置が縦置きにされ、定型表示になっている状態の図である。
【図９】第２実施形態における印刷装置の動作設定の流れを説明するフローチャートである。
【図１０】第２実施形態における印刷装置の横置きと縦置きを示す図であり、（Ａ）は、印刷装置が横置きにされ、定型表示になっている状態の図、（Ｂ）は、印刷装置が縦置きにされ、定型表示になっている状態の図である。
【符号の説明】
【００６５】
１．    印刷装置
２．    筺体
３．    キーボード
４．    サーマル印刷機構
５．    ディスプレイ
６．    機能切替キー
７．    定型表示選択キー
８．    底面
９．    印刷キー
１０．  印刷媒体カセット
２３．  印刷媒体
３３．  検知スイッチ
３３ａ．突起
３４．  電源キー
６３．  後部
６４．  支える面
Ｔ．    排出方向
【図１】
2007326223.tif 000003
【図２】
2007326223.tif 000004
【図３】
2007326223.tif 000005
【図４】
2007326223.tif 000006
【図５】
2007326223.tif 000007
【図６】
2007326223.tif 000008
【図７】
2007326223.tif 000009
【図８】
2007326223.tif 000010
【図９】
2007326223.tif 000011
【図１０】
2007326223.tif 000012